(57)【要約】【課題】  少ない部材数で感光体ドラム保持部材を容易に形成できるようにすることにある。【解決手段】  感光体ドラム保持部材１は、中空円筒状の感光体ドラム２の両端部に装着され、感光体ドラム２を箱状の包装ケースに保持するためのものである。この感光体ドラム保持部材１は一対のシート部材１０を備えている。一対のシート部材１０は、それぞれが矩形板状に形成されており、山折線１１および谷折線１２を有している。これら一対のシート部材１０それぞれを山折線１１および谷折線１２において折り曲げることにより、感光体ドラム２の両端部それぞれを支持可能な支持部５０と感光体ドラムの両端部それぞれの内周部に嵌合可能な嵌合部５１とが形成される。【選択図】      図４
2005266436.tif 000002
【特許請求の範囲】
【請求項１】
中空円筒状の感光体ドラムの両端部に装着され前記感光体ドラムを箱状の包装ケースに保持するための感光体ドラム保持部材であって、
それぞれが矩形板状に形成され、山折線および谷折線を有する一対のシート部材を
備え、
一対の前記シート部材それぞれを前記山折線および前記谷折線において折り曲げることにより、前記感光体ドラムの両端部それぞれの内周部に嵌合可能な嵌合部と前記感光体ドラムの両端部それぞれを支持可能な支持部とが形成される、
感光体ドラム保持部材。
【請求項２】
一対の前記シート部材は、凸形板状に形成され底部から突出した突出部の頂部が第１斜辺と第２斜辺とにより９０度の山形に形成され前記第１斜辺と前記第２斜辺とが交差する頂点から前記底部の底辺へと延びる前記谷折線を含む第１から第４のパネル部を有し、
前記第１のパネル部の前記第１斜辺と前記第２のパネル部の前記第２斜辺とが前記山折線になるように、前記第１のパネル部の前記第１斜辺と前記第２のパネル部の前記第２斜辺とは一体に形成され、
前記第２のパネル部の前記第１斜辺と前記第３のパネル部の前記第２斜辺とが前記山折線になるように、前記第２のパネル部の前記第１斜辺と前記第３のパネル部の前記第２斜辺とは一体に形成され、
前記第３のパネル部の前記第１斜辺と前記第４のパネル部の前記第２斜辺とが前記山折線になるように、前記第３のパネル部の前記第１斜辺と前記第４のパネル部の前記第２斜辺とは一体に形成され、
前記第４のパネル部の前記第１斜辺と前記第１のパネル部の前記第２斜辺とが前記山折線になるように、前記第４のパネル部の前記第１斜辺と前記第１のパネル部の前記第２斜辺とは一体に形成され、
一対の前記シート部材それぞれの前記谷折線および前記山折線を谷折りおよび山折りし前記第１から第４のパネル部の前記谷折線の部分を互いに隣接させることにより、前記第１から第４のパネル部の前記突出部が前記感光体ドラムの前記両端部それぞれの内周部に嵌合可能な前記嵌合部となり、前記第１から第４のパネル部の前記底部が前記感光体ドラムの前記両端部それぞれを支持可能な前記支持部となる、
請求項１に記載の感光体ドラム保持部材。
【請求項３】
前記第１から第４のパネル部それぞれの前記底部の両端部は、前記底部の前記底辺に対して垂直に形成され、
一対の前記シート部材それぞれを前記山折線および前記谷折線において折り曲げたときに、前記底辺に垂直に形成された前記両端部が接するようになっている、
請求項２に記載の感光体ドラム保持部材。
【請求項４】
一対の前記シート部材が前記両端部に装着された状態で前記包装ケースに収納された前記感光体ドラムは、前記包装ケースの両端側面の少なくともいずれか一方から出し入れ自在になっており、
前記突出部には、前記感光体ドラムを前記包装ケースから引き出すための取っ手部材を着脱自在に装着可能な取っ手部材取付孔が形成されており、
前記取っ手部材は、前記感光体ドラムの内周部に配置された状態で前記取っ手部材取付孔に係合する鈎部を有している、
請求項２又は３に記載の感光体ドラム保持部材。
【発明の詳細な説明】
【技術分野】
【０００１】
本発明は、感光体ドラム保持部材、特に、中空円筒状の感光体ドラムの両端部を支持して感光体ドラムを箱状の包装ケースに保持するための感光体ドラム保持部材に関する。
【背景技術】
【０００２】
図１に示すように、従来の感光体ドラム保持部材１０１は、中空円筒状の感光体ドラム１００の両端部に装着され、感光体ドラム１００を箱状の包装ケース９９に保持するためのものである。感光体ドラム保持部材１０１は、たとえば段ボール等の材質からなる第１支持部１０２と第２支持部１０３とを備えている。第１支持部１０２は、矩形板状に形成されている。この第１支持部１０２の中央部には、円形凹部１０２ａが形成されている。この円形凹部１０２ａの底部には、十字状の貫通孔１０２ｂが形成されている。第２支持部１０３は、図２に示すように、第１嵌合部材１０４と第２嵌合部材１０５とを有している。第１嵌合部材１０４は、凸形板状に形成されており、底部１０４ａと底部１０４ａから外方に突出した突出部１０４ｂとを有している。この第１嵌合部材１０４の突出部１０４ｂの端部には、凹状の切り欠き１０４ｃが設けられている。第２嵌合部材１０５は、凸形板状に形成されており、底部１０５ａと底部１０５ａから外方に突出した突出部１０５ｂとを有している。この第２嵌合部材１０５の底部１０５ａの中央部には、凹状の切り欠き１０５ｃが設けられている。
【０００３】
このような従来の感光体ドラム保持部材１０１では、第１嵌合部材１０４と第２嵌合部材１０５とを互いに交差させて、第１嵌合部材１０４の突出部１０４ｂに設けられた切り欠き１０４ｃと第１嵌合部材１０５の底部１０５ａの中央部に設けられた切り欠き１０５ｃとが嵌合される。このようにして、第２支持部１０３は十字状に組み立てられる。この状態の第２支持部１０３は十字状の底部１０３ａと十字状の突出部１０３ｂとを有し、十字状の底部１０３ａが第１支持部１０２の円形凹部１０２ａの形成されていない面に当接するように、十字状の突出部１０３ｂが第１支持部１０２の十字状の貫通孔１０２ｂに嵌合される（図１参照）。このようにして、感光体ドラム保持部材１０１は組み立てられる。そして、感光体ドラム保持部材１０１の円形凹部１０２ａを中空円筒状の感光体ドラム１００の両端部それぞれに嵌合することにより、感光体ドラム保持部材１０１は感光体ドラム１００の両端部に設置される。このように感光体ドラム保持部材１０１を両端部に設置した状態の感光体ドラム１００を包装ケース９９に収納することで、感光体ドラム１００は包装ケース９９内において感光体ドラム保持部材１０１によって保持される。
【発明の開示】
【発明が解決しようとする課題】
【０００４】
従来の感光体ドラム保持部材は、感光体ドラムの両端部に装着され感光体ドラムを包装ケースに保持するために、たとえば、第１支持部と第１および第２嵌合部材（第２支持部）とを用意する必要がある。このため、第１支持部と第１および第２嵌合部材（第２支持部）といった複数の構成部材を用意するための製造コストが高くなってしまうおそれがある。また、感光体ドラム保持部材を感光体ドラムに設置するためには、複数の構成部材を組み立てる必要がある。そして、複数の構成部材を組み立てるためには、複数の工数を経る必要があり、感光体ドラム保持部材の組立作業が繁雑になってしまうおそれがある。つまり、構成部材の部材数が多くなればなるほど、複数の構成部材を用意するための製造コストが上昇し、感光体ドラム保持部材の組立作業が繁雑になるおそれがある。
【０００５】
本発明の課題は、少ない部材数で感光体ドラム保持部材を容易に形成できるようにすることにある。
【課題を解決するための手段】
【０００６】
請求項１に係る感光体ドラム保持部材は、中空円筒状の感光体ドラムの両端部に装着され感光体ドラムを箱状の包装ケースに保持するためのものである。この感光体ドラム保持部材は一対のシート部材を備えている。一対のシート部材は、それぞれが矩形板状に形成されており、山折線および谷折線を有している。これら一対のシート部材それぞれを山折線および谷折線において折り曲げることにより、感光体ドラムの両端部それぞれを支持可能な支持部と感光体ドラムの両端部それぞれの内周部に嵌合可能な嵌合部とが形成される。
【０００７】
この感光体ドラム保持部材では、シート部材を山折線および谷折線において折り曲げることにより、支持部と嵌合部とが形成されるようになっている。一対のシート部材の支持部のそれぞれは感光体ドラムの両端部それぞれを支持可能になっており、一対のシート部材の嵌合部のそれぞれは感光体ドラムの両端部それぞれの内周部に嵌合可能になっている。このように、感光体ドラム保持部材の両端部を支持するためには、シート部材といった構成部材を用意するだけなので、複数の構成部材を用意する場合と比較して、製造コストを低減することができる。また、一対のシート部材を折り曲げるといった作業だけで、感光体ドラム保持部材を容易に形成することができる。
【０００８】
請求項２に係る感光体ドラム保持部材では、請求項１に記載の感光体ドラム保持部材において、一対のシート部材が第１から第４のパネル部を有している。第１から第４のパネル部は凸形状に形成されている。第１から第４のパネル部では、底部から突出した突出部の頂部が第１斜辺と第２斜辺とにより９０度の山形に形成されている。また、第１から第４のパネル部は谷折線を含んでおり、この谷折線は第１斜辺と第２斜辺とが交差する頂点から底部の底辺へと延びている。
【０００９】
第１のパネル部の第１斜辺と第２のパネル部の第２斜辺とが山折線になるように、第１のパネル部の第１斜辺と第２のパネル部の第２斜辺とは一体に形成されている。第２のパネル部の第１斜辺と第３のパネル部の第２斜辺とが山折線になるように、第２のパネル部の第１斜辺と第３のパネル部の第２斜辺とは一体に形成されている。第３のパネル部の第１斜辺と第４のパネル部の第２斜辺とが山折線になるように、第３のパネル部の第１斜辺と第４のパネル部の第２斜辺とは一体に形成されている。第４のパネル部の第１斜辺と第１のパネル部の第２斜辺とが山折線になるように、第４のパネル部の第１斜辺と第１のパネル部の第２斜辺とは一体に形成されている。
【００１０】
この感光体ドラム保持部材では、一対のシート部材それぞれの谷折線および山折線を谷折りおよび山折りして、第１から第４のパネル部の谷折線の部分を互いに隣接させると、第１から第４のパネル部の突出部が感光体ドラムの両端部それぞれの内周部に嵌合可能な嵌合部となり、第１から第４のパネル部の底部が感光体ドラムの両端部それぞれを支持可能な支持部となる。このように、感光体ドラム保持部材の両端部を支持するためには、シート部材といった構成部材を用意するだけなので、複数の構成部材を用意する場合と比較して、製造コストを低減することができる。また、一対のシート部材を折り曲げるといった作業だけで、感光体ドラム保持部材を容易に形成することができる。
【００１１】
請求項３に係る感光体ドラム保持部材では、請求項２に記載の感光体ドラム保持部材において、第１から第４のパネル部それぞれの底部の両端部は、底部の底辺に対して垂直に形成されている。そして、一対のシート部材それぞれを山折線および谷折線において折り曲げたときに、底辺に垂直に形成された両端部が接するようになっている。
【００１２】
この場合、第１から第４のパネル部それぞれの底部の両端部は、底部の底辺に対して垂直に形成され、一対のシート部材それぞれを山折線および谷折線において折り曲げたときに底辺に垂直に形成された両端部が接するようになっている。これにより、一対のシート部材を感光体ドラムの両端部に装着した状態で包装ケースに収容したり取り出したりするときに、第１から第４のパネル部それぞれの底部の両端部を包装ケースの内面隅角部に沿わせることで、感光体ドラムの表面が包装ケースの内面に接触しないようにすることができる。つまり、感光体ドラムの表面が包装ケースの内面によって傷つかないようにすることができる。
【００１３】
請求項４に係る感光体ドラム保持部材では、請求項２又は３に記載の感光体ドラム保持部材において、一対のシート部材が両端部に装着された状態で包装ケースに収納された感光体ドラムが、包装ケースの両端側面の少なくともいずれか一方から出し入れ自在になっている。突出部には、感光体ドラムを包装ケースから引き出すための取っ手部材を着脱自在に装着可能な取っ手部材取付孔が形成されている。取っ手部材は、感光体ドラムの内周部に配置された状態で取っ手部材取付孔に係合する鈎部を有している。
【００１４】
ここでは、感光体ドラムは、一対のシート部材が両端部に装着された状態で包装ケースに収納されている。この状態で、一対のシート部材のいずれか一方を感光体ドラムの一端から取り外して、感光体ドラムの一端側から感光体ドラムの内周部に取っ手部材を配置する。このとき、取っ手部材の鈎部を、感光体ドラムの他端に装着されままの一対のシート部材のいずれか他方の取っ手部材取付孔に係合させる。この状態で、感光体ドラムの一端側から手を入れ取っ手部材を掴んで引き出すと、感光体ドラムを包装ケースから容易に取り出すことができる。
【発明の効果】
【００１５】
本発明では、シート部材を山折線および谷折線において折り曲げることにより、支持部と嵌合部とが形成されるようになっている。一対のシート部材の支持部のそれぞれは感光体ドラムの両端部それぞれを支持可能になっており、一対のシート部材の嵌合部のそれぞれは感光体ドラムの両端部それぞれの内周部に嵌合可能になっている。このように、感光体ドラム保持部材の両端部を支持するためには、シート部材といった構成部材を用意するだけなので、複数の構成部材を用意する場合と比較して、製造コストを低減することができる。また、一対のシート部材を折り曲げるといった作業だけで、感光体ドラム保持部材を容易に形成することができる。
【発明を実施するための最良の形態】
【００１６】
感光体ドラム保持部材は、中空円筒状の感光体ドラムの両端部に装着され、感光体ドラムを箱状の包装ケースに保持するためのものである。この感光体ドラム保持部材１は、図３に示すように、一対のシート部材１０によって形成される。一対のシート部材１０は、それぞれが矩形板状に形成され、山折線１１および谷折線１２を有している。これら一対のシート部材１０それぞれを山折線１１および谷折線１２において折り曲げることにより、一対のシート部材１０ぞれぞれは、図４に示すように、感光体ドラム２の両端部それぞれを支持可能な支持部５０と感光体ドラム２の両端部それぞれの内周部に嵌合可能な嵌合部５１とを有する立体に変形される。
【００１７】
一対のシート部材１０は、図３に示すように、第１のパネル部２１と、第２のパネル部２２と、第３のパネル部２３と、第４のパネル部２４とを有している。第１から第４のパネル部２１，２２，２３，２４は、凸形板状に形成された部分である。第１から第４のパネル部２１，２２，２３，２４それぞれは、底部３１，３２，３３，３４と突出部４１，４２，４３，４４とからなっている。底部３１，３２，３３，３４は一方向に長い矩形状に形成された部分であり、底部３１，３２，３３，３４の両端部すなわち両端辺３１ａ，３２ａ，３３ａ，３４ａは底部３１，３２，３３，３４の底辺３１ｂ，３２ｂ，３３ｂ，３４ｂに対して垂直に形成されている。底部３１，３２，３３，３４の長手方向長さは、感光体ドラム２の外周径長さより長くなっている。突出部４１，４２，４３，４４は底部３１，３２，３３，３４の底辺３１ｂ，３２ｂ，３３ｂ，３４ｂに対向する辺の中央部から突出して形成された部分であり、突出部４１，４２，４３，４４の頂部は第１斜辺４１ａ，４２ａ，４３ａ，４４ａと第２斜辺４１ｂ，４２ｂ，４３ｂ，４４ｂとにより９０度の山形に形成されている。突出部４１，４２，４３，４４の突出方向に直交する幅方向の長さは、感光体ドラム２の内周径長さより短くなっている。また、第１から第４のパネル部２１，２２，２３，２４それぞれには、第１斜辺４１ａ，４２ａ，４３ａ，４４ａと第２斜辺４１ｂ，４２ｂ，４３ｂ，４４ｂとが交差する頂点から底部３１，３２，３３，３４の底辺３１ｂ，３２ｂ，３３ｂ，３４ｂへと延びる谷折線１２が形成されている。
【００１８】
第１のパネル部２１の第１斜辺４１ａと第２のパネル部２２の第２斜辺４２ｂとは、第１のパネル部２１の第１斜辺４１ａと第２のパネル部２２の第２斜辺４２ｂとが山折線１１になるように一体に形成されている。第２のパネル部２２の第１斜辺４２ａと第３のパネル部の第２斜辺４３ｂとは、第２のパネル部２２の第１斜辺４２ａと第３のパネル部の第２斜辺４３ｂとが山折線１１になるように一体に形成されている。第３のパネル部の第１斜辺４３ａと第４のパネル部の第２斜辺４４ｂとは、第３のパネル部の第１斜辺４３ａと第４のパネル部の第２斜辺４４ｂとが山折線１１になるように一体に形成されている。第４のパネル部の第１斜辺４４ａと第１のパネル部２１の第２斜辺４１ｂとは、第４のパネル部の第１斜辺４４ａと第１のパネル部２１の第２斜辺４１ｂとが山折線１１になるように一体に形成されている。
【００１９】
第１から第４のパネル部２１，２２，２３，２４のうち隣り合うパネル部それぞれには、貫通孔２１ａ，２２ａが形成されている。ここでは、貫通孔２１ａ，２２ａが第１のパネル部２１と第２のパネル部２２とに形成されている。この貫通孔２１ａ，２２ａは、矩形状に形成されている。第１のパネル部２１の貫通孔２１ａは、突出部４１の突出方向の略中央部において、第１のパネル部２１に形成された谷折線１２を基準として第２のパネル側に配置されている。具体的には、第１のパネル部２１の貫通孔２１ａは、突出部４１の突出方向の略中央部において、一辺が第１のパネル部２１に形成された谷折線１２に接した状態で谷折線１２の左側に配置されている。第２のパネル部２２の貫通孔２２ａは、突出部４２の突出方向の略中央部において、第２のパネル部２２に形成された谷折線１２を基準として第１のパネル側に配置されている。具体的には、第２のパネル部２２の貫通孔２２ａは、突出部４２の突出方向の略中央部において、一辺が第２のパネル部２２に形成された谷折線１２に接した状態で谷折線１２の下側に配置されている。
【００２０】
第１から第４のパネル部２１，２２，２３，２４それぞれの谷折線１２および山折線１１を谷折りおよび山折りし、第１から第４のパネル部２１，２２，２３，２４ぞれぞれの谷折線１２の部分を互いに近接させ隣接させると、図３および図４に示すように、第１から第４のパネル部２１，２２，２３，２４ぞれぞれは、谷折線１２において９０度に谷折りされた状態になる。このとき、第１から第４のパネル部２１，２２，２３，２４ぞれぞれは、互いに近接する近接面（谷折線１２が形成された面の裏側の面）において接触している。この状態に一対のシート部材１０それぞれが変形されたときに、第１から第４のパネル部２１，２２，２３，２４の底部３１，３２，３３，３４は感光体ドラム２の両端部それぞれを支持可能な支持部５０となり、第１から第４のパネル部２１，２２，２３，２４の突出部４１，４２，４３，４４は感光体ドラム２の両端部それぞれの内周部に嵌合可能な嵌合部５１となる。また、第１および第２のパネル部２２に形成された貫通孔２１ａ，２２ａは、互いに対向するように重なり合い、後述する取っ手部材５５を着脱自在に装着可能な取っ手部材取付孔３５ａとなる。
【００２１】
支持部５０は、感光体ドラム２の端部を支持する部分であり、十字形に形成されている。支持部５０では、十字形に交差する２辺の長さそれぞれが感光体ドラム２の端部外周径長さより長くなっている。嵌合部５１は、感光体ドラム２の端部内周部に嵌合される部分であり、十字形に形成されている。嵌合部５１では、十字形に交差する２辺の長さそれぞれが感光体ドラム２の端部内周径長さより僅かに短くなっている。たとえば、嵌合部５１の２辺の長さそれぞれは、感光体ドラム２の端部内周径長さより２ｍｍ程度短くなっている。この嵌合部５１は、十字形に交差する２辺の交差点を通る嵌合部５１の十字中心軸が十字形に交差する２辺の交差点を通る支持部５０の十字中心軸と同軸となるように、支持部５０の底辺５０ｂに対向する辺５０ｃに一体に設けられている。
【００２２】
取っ手部材５５は、図５および図６に示すように、一方向に長い矩形板状に形成されている。この取っ手部材５５の幅方向長さは、感光体ドラム２の内周径長さより短くなっている。取っ手部材５５は鈎部５５ａを有しており、この鈎部５５ａは、取っ手部材取付孔３５ａに係合可能になっている。鈎部５５ａは、取っ手部材５５の端部に略Ｓ字形の切り込み５５ｂを設けることによって形成されている。略Ｓ字形の切り込み５５ｂは、取っ手部材５５の端部から離反する側の部分５５ｃが取っ手部材５５の長手方向に直線状になるように切り込まれている。
【００２３】
このような感光体ドラム保持部材１では、立体に変形させた一対のシート部材１０が感光体ドラム２の両端部に互いに対向するように装着される。このとき、一対のシート部材１０それぞれの嵌合部５１は、感光体ドラム２の内周部に嵌合される。そして、一対のシート部材１０それぞれの支持部５０が、感光体ドラム２の端部に当接させられる。このように一対のシート部材１０が装着された感光体ドラム２は、一方向に長い包装ケースの両端部のいずれか一方から包装ケースの内部に挿入され、包装ケース内に収納される。この状態では、一対のシート部材１０が、包装ケースの内部両端部と感光体ドラム２の両端部との間で、感光体ドラム２の両端部を支持して包装ケースの内部両端部に保持している。一方で、包装ケースの両端部のいずれか一方の蓋部を開けて、シート部材１０を感光体ドラム２の一端から取り外した後、感光体ドラム２の一端側から感光体ドラム２の内周部に取っ手部材５５が配置される。このとき、取っ手部材５５の鈎部５５ａが、感光体ドラム２の他端に装着されているシート部材１０の取っ手部材取付孔３５ａに、たとえば鈎部５５ａの一部を図５に示した破線に沿って撓ませることにより嵌合される。この状態で、感光体ドラム２の一端側から手を入れ取っ手部材５５を掴んで引き出すと、感光体ドラム２を包装ケースから取り出すことができる。
【００２４】
本実施形態の感光体ドラム保持部材１では、シート部材１０を山折線１１および谷折線１２において折り曲げることにより、支持部５０と嵌合部５１とが形成されるようになっている。一対のシート部材１０それぞれの支持部５０は感光体ドラム２の両端部それぞれを支持可能になっており、一対のシート部材１０それぞれの嵌合部５１は感光体ドラム２の両端部それぞれの内周部に嵌合可能になっている。このように、感光体ドラム保持部材１の両端部を支持するためには、シート部材１０といった構成部材を用意するだけなので、複数の構成部材を用意する場合と比較して、製造コストを低減することができる。また、一対のシート部材１０を折り曲げるといった作業だけで、感光体ドラム保持部材１を容易に形成することができる。
【００２５】
〔他の実施形態〕
（ａ）前記実施形態では、一対のシート部材１０それぞれに取っ手部材取付孔３５ａを設けた場合の例を示したが、取っ手部材取付孔３５ａは一対のシート部材１０のいずれか一方だけに設けるようにしても良い。
【図面の簡単な説明】
【００２６】
【図１】従来の感光体ドラムの両端部に装着される感光体ドラム保持部材を示す斜視図。
【図２】従来の感光体ドラム保持部材を示す拡大斜視図。
【図３】本発明の一実施形態にかかる感光体ドラム保持部材の平面図。
【図４】前記感光体ドラム保持部材を立体化したときの斜視図。
【図５】前記感光体ドラム保持部材に装着される取っ手部材の斜視図。
【図６】前記感光体ドラム保持部材に前記取っ手部材が装着された状態の斜視図。
【符号の説明】
【００２７】
１  感光体ドラム保持部材
２  感光体ドラム
１１  山折線
１２  谷折線
１０  シート部材
２１  第１のパネル部
２２  第２のパネル部
２３  第３のパネル部
２４  第４のパネル部
３１，３２，３３，３４  底部
３１ａ，３２ａ，３３ａ，３４ａ  底部の両端辺（両端部）
３１ｂ，３２ｂ，３３ｂ，３４ｂ  底部の底辺
３５ａ  取っ手部材取付孔
４１，４２，４３，４４  突出部
４１ａ，４２ａ，４３ａ，４４ａ  第１斜辺
４１ｂ，４２ｂ，４３ｂ，４４ｂ  第２斜辺
５０  支持部
５１  嵌合部
５５  取っ手部材
５５ａ  鈎部
【図１】
2005266436.tif 000003
【図２】
2005266436.tif 000004
【図３】
2005266436.tif 000005
【図４】
2005266436.tif 000006
【図５】
2005266436.tif 000007
【図６】
2005266436.tif 000008